(57)【特許請求の範囲】
【請求項１】
無線セルラ通信ネットワークにおいて送信電力を確定する方法であって、
前記送信電力の条件であって、移動端末が現状で第２の基地局によってハンドリングされており、省エネルギーモードにある第１の基地局を前記第１の基地局が前記移動端末をハンドリングできる通常動作モードに切り替えなければならない前記送信電力の条件を確定する方法において、
前記第１の基地局を、いかなる移動端末もハンドリングさせない前記省エネルギーモードで動作させるステップと、
前記第２の基地局を、移動端末をハンドリングできるようにする前記通常動作モードで動作させるステップと、
前記第２の基地局及び前記移動端末の間の経路利得を表す情報を得るステップと、
前記第１の基地局及び前記移動端末の間の経路利得を表す情報を得るステップと、
前記第１の基地局及び前記移動端末の間の経路利得を表す前記情報と前記第２の基地局及び前記移動端末の間の経路利得を表す前記情報とから、前記第１の基地局が前記省エネルギーモードから前記通常動作モードに切り替えられる時に前記第１の基地局及び前記第２の基地局が前記移動端末をハンドリングでき且つ前記第１の基地局によって転送される信号の送信電力を確定するステップと
を含むことを特徴とする方法。
【請求項２】
前記第１の基地局及び前記移動端末の間の経路利得を表す情報を得るステップと前記確定するステップとが、前記第２の基地局及び前記移動端末の間の経路利得を表す前記情報の値に従って実行されることを特徴とする請求項１に記載の方法。
【請求項３】
前記第２の基地局によって、前記移動端末により転送され且つ前記第１の基地局により受信される信号の電力を監視するように前記第１の基地局に要求するメッセージを送信するステップであって、前記メッセージが前記移動端末によって転送される信号の送信電力をさらに有するステップをさらに含み、前記第１の基地局及び前記移動端末の間の経路利得を表す前記情報が、前記第１の基地局によって確定されることを特徴とする請求項２に記載の方法。
【請求項４】
前記第２の基地局によって、前記移動端末により転送され且つ前記第１の基地局により受信される信号の電力を応答して転送するように前記第１の基地局に要求するメッセージを転送するステップをさらに含み、前記第１の基地局が前記省エネルギーモードから前記通常動作モードに切り替えられる時に前記第１の基地局及び前記第２の基地局が前記移動端末をハンドリングでき且つ前記第１の基地局によって転送される信号の前記送信電力が、前記第２の基地局によって確定されることを特徴とする請求項２に記載の方法。
【請求項５】
前記第２の基地局によって、前記移動端末により転送され且つ前記第１の基地局により受信される信号の電力を監視するように前記第１の基地局に要求するメッセージを転送するステップをさらに含み、前記第１の基地局によって転送される信号の前記送信電力が、前記第１の基地局によって確定されることを特徴とする請求項２に記載の方法。
【請求項６】
前記移動端末から、前記移動端末により受信され且つ前記第１の基地局により転送される信号の電力を表す情報を受信するステップをさらに含み、前記第１の基地局が前記省エネルギーモードから前記通常動作モードに切り替えられる時に前記第１の基地局及び前記第２の基地局が前記移動端末をハンドリングでき且つ前記第１の基地局によって転送される信号の前記送信電力は、前記第１の基地局により転送され且つ前記移動端末により受信される前記信号の電力と前記第２の基地局により転送され且つ前記移動端末により受信される信号の電力とから、前記第２の基地局によって確定されることを特徴とする請求項２に記載の方法。
【請求項７】
前記第１の基地局により転送され且つ前記移動端末により受信される前記信号の電力を表す情報を前記移動端末から受信する前に実行され、前記第２の基地局によって、前記第１の基地局が移動端末をハンドリングできない送信電力で信号を転送するように前記第１の基地局に要求するメッセージを、前記第１の基地局に転送するステップをさらに含むことを特徴とする請求項５に記載の方法。
【請求項８】
前記送信電力が、前記第１の基地局の送信電力の増加因子又は減少因子として計算されることを特徴とする請求項１〜７のいずれか一項に記載の方法。
【請求項９】
前記移動端末により前記第２の基地局から受信される信号の電力が、閾値以下であるか否かをチェックするステップを含み、
前記閾値が、前記移動端末に対して確定される信号対干渉雑音比の値から確定されることを特徴とし、かつ、
前記移動端末により前記第２の基地局から受信される信号の電力が前記閾値以下でない場合に、前記移動端末により転送され且つ前記第１の基地局により受信される信号の電力を監視するように前記第１の基地局に要求するメッセージが転送されることを特徴とする請求項５に記載の方法。
【請求項１０】
前記信号対干渉雑音比の値が、前記移動端末に提供すべきサービス品質に従って確定されることを特徴とする請求項９に記載の方法。
【請求項１１】
前記移動端末が前記第２の基地局から受信する信号の電力が前記閾値以下である場合、前記移動端末に提供するサービス品質を向上させる、並びに／又は、よりロバストな変調及びコード体系を前記移動端末に割り当てるステップをさらに含むことを特徴とする請求項１０に記載の方法。
【請求項１２】
前記第２の基地局に隣接した複数の基地局が前記省エネルギーモードにあり、前記第２の基地局に隣接した各基地局にメッセージが転送され、前記メッセージは、前記移動端末により転送され且つ前記第２の基地局に隣接した各前記基地局により受信される信号の電力を監視するように要求することを特徴とし、前記方法が、前記第２の基地局に隣接した前記基地局の中から、前記移動端末によって転送される信号を最大の電力で受信する基地局を選択するステップをさらに含むことを特徴とする請求項２〜５のいずれか一項に記載の方法。
【請求項１３】
前記第２の基地局に隣接した複数の基地局が前記省エネルギーモードにあることを特徴とし、前記方法が、前記第２の基地局に隣接した前記基地局の中から、前記第１の基地局が前記省エネルギーモードから前記通常動作モードに切り替わる時に前記移動端末によって受信される信号を最大の電力で転送する基地局を選択するステップをさらに含むことを特徴とする請求項６または７に記載の方法。
【請求項１４】
前記第２の基地局が、前記移動端末を識別する情報を前記第１の基地局に転送し、前記移動端末を識別する情報が、前記第２の基地局によって前記移動端末に割り当てられるセル無線ネットワーク一時識別子、又は前記第２の基地局によって前記移動端末に割り当てられる専用パイロットシーケンス及び時間／周波数パターン、又は移動端末から前記第２の基地局への初期送信のコンテンションベースチャネルであることを特徴とする請求項１〜１３のいずれか一項に記載の方法。
【請求項１５】
無線セルラ通信ネットワークにおいて送信電力を確定する装置であって、
前記送信電力の条件であって、移動端末が現状で第２の基地局によってハンドリングされており、省エネルギーモードにある第１の基地局を前記第１の基地局が前記移動端末をハンドリングできる通常動作モードに切り替えなければならない前記送信電力の条件を確定する装置において、
前記省エネルギーモードにある前記第１の基地局を切り替えなければならない条件を確定する装置は、
前記第１の基地局を、いかなる移動端末もハンドリングさせない前記省エネルギーモードで動作させる手段と、
前記第２の基地局を、移動端末をハンドリングできるようにする前記通常動作モードで動作させる手段と、
前記第２の基地局及び前記移動端末の間の経路利得を表す情報を得る手段と、
前記第１の基地局及び前記移動端末の間の経路利得を表す情報を得る手段と、
前記第１の基地局及び前記移動端末の間の経路利得を表す前記情報と前記第２の基地局及び前記移動端末の間の経路利得を表す前記情報とから、前記第１の基地局が前記省エネルギーモードから前記通常動作モードに切り替えられる時に前記第１の基地局及び前記第２の基地局が前記移動端末をハンドリングでき且つ前記第１の基地局によって転送される信号の送信電力を確定する手段と
を備えることを特徴とする装置。
【発明の詳細な説明】
【技術分野】
【０００１】
本発明は、包括的には、無線セルラ通信ネットワークにおいて、省エネルギーモードにある第１の基地局を、第１の基地局が移動端末をハンドリング（handle）できる動作モードに切り替えるのに必要な条件を確定する方法及び装置に関する。
【０００２】
より詳細には、本発明は、無線セルラ通信ネットワークの基地局の動作を管理する分野にある。
【背景技術】
【０００３】
基地局の動作の管理によって、無線セルラ通信ネットワークが消費する電力を低減することが可能である。
【０００４】
基地局の動作の管理の本質は、省エネルギーモードにある基地局を切り替えるか否かにある。この切り替えは、例えば、基地局の負荷及び／又は周囲の基地局の負荷である少なくとも１つの基準に従って実行される。
【０００５】
例えば、基地局がいずれの移動端末もハンドリングしていない場合、その基地局を省エネルギーモードに設定することができ、この省エネルギーモードでは、基地局は、無線信号を低電力レベル、すなわち最高でも公称無線信号送信電力の６０％で転送するか、又は無線信号の送信を中断する。
【０００６】
例えば、夜間、無線セルラ通信ネットワークがカバーする領域によっては、移動端末が少数であるか、又は全く存在しないことがある。その基地局又はそれらの領域内の１つ若しくは複数のセルを管理する各基地局を省エネルギーモードに切り替えることによって、無線セルラ通信ネットワークにより提供されるサービス品質を低下させることなく、エネルギーが節減される。
【０００７】
移動端末が、省エネルギーモードにある基地局の近傍領域に達した場合、又は省エネルギーモードにある基地局の周囲の基地局の負荷が高い場合、省エネルギーモードにある基地局を通常動作モードに切り替えるべきであり、この通常動作モードは、上記移動端末又は周囲の基地局がハンドリングしている他の移動端末を、省エネルギーモードにある基地局がハンドリングできるようにするものである。
【０００８】
図１ａ及び図１ｂは、基地局の省エネルギーモードから通常動作モードへのそのような従来の切り替えの例を表す。
【０００９】
明確にするために、３つの基地局ＢＳ１〜ＢＳ３が図１に示されるが、無線セルラ通信ネットワークは、より多数の基地局ＢＳを含み得る。
【００１０】
図１ａでは、基地局ＢＳ２が省エネルギーモードにあり、基地局ＢＳ１及びＢＳ３は通常動作モードにある。
【００１１】
基地局ＢＳ１は、セルＣＥ１ａ内で信号を転送し受信する。
【００１２】
基地局ＢＳのセルＣＥとは、基地局のそのセル内に配置された移動端末を基地局ＢＳがハンドリングすることができる、すなわち、基地局のそのセル内に配置された移動端末が基地局ＢＳを通して遠隔にある通信装置との通信を確立することができる領域である。
【００１３】
移動端末ＭＴ１、ＭＴ２、ＭＴ３及びＭＴ４が、基地局ＢＳ１のセルＣＥ１ａ内に位置している。
【００１４】
基地局ＢＳ３は、セルＣＥ３ａ内の信号を転送し受信する。
【００１５】
移動端末ＭＴ５が、基地局ＢＳ３のセルＣＥ３ａ内に位置している。
【００１６】
図１ａの例によれば、移動端末ＭＴ２は、セルＣＥ１ａの縁に位置しており、ＡＲと記される矢印で示されるように、セルＣＥ１ａから出て、基地局ＢＳ２が仮に通常動作モードであれば基地局ＢＳ２がカバーすることができていた領域に入る。
【００１７】
その場合、基地局ＢＳ２を通常動作モードに切り替え、例えば、無線プランニング技術（radio planning techniques）に従って定義されているか又は基地局ＢＳ２の不揮発性メモリに記憶されている公称送信電力での無線信号の転送を開始することが決定される。
【００１８】
図１ｂでは、基地局ＢＳ１、ＢＳ２及びＢＳ３は通常動作モードにある。
【００１９】
図１ｂに示されるように、通常動作モードの送信電力での基地局ＢＳ２による無線信号の送信は、基地局ＢＳ１及びＢＳ３のセルＣＥ１ｂ及びＣＥ３ｂによってカバーされる領域を狭める。
【００２０】
基地局ＢＳ２が公称送信電力での信号の転送を開始すると、基地局ＢＳ２によって転送される信号は、基地局ＢＳ１及びＢＳ３によって転送される信号と干渉する。
【００２１】
図１ｂの例によれば、基地局ＢＳ２が通常動作モードに切り替えられると、移動端末ＭＴ１、ＭＴ２及びＭＴ４は、基地局ＢＳ１のセルＣＥ１ｂによってもはやカバーされない。
【００２２】
信号受信状況のそのような急な変更は、仮に移動端末ＭＴ１、ＭＴ２及びＭＴ４のうちの１つが、基地局ＢＳ１を通しての遠隔の通信装置との通信に関わっているとすれば、通信の急な中断を生じさせる恐れがある。
【００２３】
図１ｂの例によれば、信号受信状況の急な変更によって、移動端末ＭＴ１がもはやいずれのセルにも含まれなくなる。
【００２４】
基地局ＢＳ２の通常動作モードへの切り替えは、無線セルラ通信ネットワークのサービス品質を低下させる。
【発明の概要】
【００２５】
本発明は、省エネルギーモードにある基地局を、電気エネルギー消費電力を低減しながらも、基地局が移動端末をハンドリングできる動作モードに切り替える必要がある場合に、無線セルラ通信ネットワークのサービス品質が維持される無線セルラ通信ネットワークの提供を目的とする。
【００２６】
この目的のために、本発明は、無線セルラ通信ネットワークで、移動端末が現状で第２の基地局によってハンドリングされており、省エネルギーモードにある第１の基地局を第１の基地局が移動端末をハンドリングできる動作モードに切り替えるのに必要な条件を確定する方法に関する。この方法は、
第２の基地局及び移動端末の間の経路利得を表す情報を得るステップと、
第１の基地局及び移動端末の間の経路利得を表す情報を得るステップと、
第１の基地局及び移動端末の間の経路利得を表す情報と第２の基地局及び移動端末の間の経路利得を表す情報とから、第１の基地局及び第２の基地局が移動端末をハンドリングでき且つ第１の基地局によって転送される信号の送信電力を確定するステップと
を含むことを特徴とする。
【００２７】
本発明は、無線セルラ通信ネットワークで、移動端末が現状で第２の基地局によってハンドリングされており、省エネルギーモードにある第１の基地局を第１の基地局が移動端末をハンドリングできる動作モードに切り替えるのに必要な条件を確定する装置にも関する。この装置は、
第２の基地局及び移動端末の間の経路利得を表す情報を得る手段と、
第１の基地局及び移動端末の間の経路利得を表す情報を得る手段と、
第１の基地局及び移動端末の間の経路利得を表す情報と第２の基地局及び移動端末の間の経路利得を表す情報とから、第１の基地局及び第２の基地局が移動端末をハンドリングでき且つ第１の基地局によって転送される信号の送信電力を確定する手段と
を備えることを特徴とする。
【００２８】
それ故、省エネルギーモードにある第１の基地局が、移動端末をハンドリングできる動作モードに切り替えられる場合、無線セルラ通信ネットワークのサービス品質は維持される。
【００２９】
特定の特徴によれば、第１の基地局及び移動端末の間の経路利得を表す情報を得るステップと上記確定するステップとは、第２の基地局及び移動端末の間の経路利得を表す情報の値に従って実行される。
【００３０】
それ故、移動端末が第２の基地局によってハンドリングされることが可能な限り、省エネルギーモードの基地局は省エネルギーモードのままである。エネルギー節減が最大限になる。
【００３１】
特定の特徴によれば、第２の基地局は、移動端末によって転送され且つ第１の基地局によって受信される信号の電力を監視するように第１の基地局に要求するメッセージを送信し、メッセージは、移動端末によって転送される信号の送信電力をさらに含み、第１の基地局及び移動端末の間の経路利得を表す情報は、第１の基地局によって確定される。
【００３２】
それ故、第２の基地局は、通常動作モードに第１の基地局がある場合に信号の送信に第１の基地局が使用する公称送信電力を認知している必要がない。
【００３３】
特定の特徴によれば、第２の基地局は、移動端末によって転送され且つ第１の基地局によって受信される信号の電力を応答して転送するように第１の基地局に要求するメッセージを転送し、第１の基地局及び第２の基地局が移動端末をハンドリングでき且つ第１の基地局によって転送される信号の送信電力は、第２の基地局によって確定される。
【００３４】
それ故、第２の基地局によって第１の基地局に提供されるパラメータの数が最低限に抑え得られる。
【００３５】
特定の特徴によれば、第２の基地局は、移動端末によって転送され且つ第１の基地局によって受信される信号の電力を監視するように第１の基地局に要求するメッセージを転送し、第１の基地局によって転送される信号の送信電力は、第１の基地局によって確定される。
【００３６】
それ故、第１の基地局によって第２の基地局に提供されるパラメータの数が最低限に抑えられる。
【００３７】
特定の特徴によれば、メッセージが移動端末に転送され、メッセージは、移動端末によって受信され且つ第１の基地局によって転送される信号の電力を表す情報を転送するように移動端末に要求し、第１の基地局及び第２の基地局が移動端末をハンドリングできる信号を第１の基地局が転送する場合、第１の基地局によって転送される信号の送信電力は、第１の基地局によって転送され且つ移動端末によって受信される信号の電力と第２の基地局によって転送され且つ移動端末によって受信される信号の電力とから、第２の基地局によって確定される。
【００３８】
それ故、第１の基地局は、移動端末からの信号を監視する必要がない。
【００３９】
特定の特徴によれば、メッセージを移動端末に送信する前に、第２の基地局は、第１の基地局が移動端末をハンドリングできない送信電力で信号を転送するように第１の基地局に要求するメッセージを転送する。
【００４０】
それ故、第１の基地局は、信号を送信しない省エネルギー状態により長く留まる。
【００４１】
特定の特徴によれば、送信電力は、第１の基地局の送信電力の増加因子又は減少因子として計算される。
【００４２】
特定の特徴によれば、閾値は、移動端末に対して確定される信号対干渉雑音比の値から確定される。
【００４３】
それ故、閾値を各移動端末にあわせて適合させることができる。
【００４４】
特定の特徴によれば、信号対干渉雑音比の値は、移動端末に提供すべきサービス品質に従って確定される。
【００４５】
それ故、移動端末の進行中の通信に対する影響が抑えられる。
【００４６】
特定の特徴によれば、移動端末が第２の基地局から受信する信号の電力が閾値以下である場合、移動端末に提供するサービス品質が向上する、並びに／又は、移動端末が第２の基地局から受信する信号の電力が閾値以下である場合、移動端末にはよりロバストな（robust）変調及びコード体系（coding scheme）が割り当てられる。
【００４７】
それ故、移動端末は、第２の基地局によってより長くサービスを受けることができる。
【００４８】
特定の特徴によれば、第２の基地局に隣接した複数の基地局が省エネルギーモードにあり、第２の基地局に隣接した各基地局にメッセージが転送され、メッセージは、移動端末によって転送され且つ第１の基地局によって受信される信号の電力を監視するように要求し、この方法が、第２の基地局に隣接した基地局の中から、移動端末によって転送される信号を最大の電力で受信する基地局として、第１の基地局を選択するステップをさらに含む。
【００４９】
それ故、省エネルギー状態から動作モードに切り替えられる基地局の数が制限され、省エネルギー利得が増大する。
【００５０】
特定の特徴によれば、第２の基地局に隣接した複数の基地局が省エネルギーモードにあり、メッセージが、移動端末によって受信され且つ第２の基地局に隣接した各基地局によって転送される信号の電力を表す情報を転送するように移動端末に要求し、この方法は、第２の基地局に隣接した基地局の中から、移動端末によって受信される信号を最大の電力で転送する基地局として、第１の基地局を選択するステップをさらに含む。
【００５１】
特定の特徴によれば、第２の基地局が、移動端末を識別する情報を第１の基地局に転送し、移動端末を識別する情報が、第２の基地局によって移動端末に割り当てられるセル無線ネットワーク一時識別子、又は第２の基地局によって移動端末に割り当てられる専用パイロットシーケンス及び時間／周波数パターン、又は移動端末から第２の基地局への初期送信のコンテンションベースチャネルである。
【００５２】
それ故、第１の基地局は、第２の基地局によって送信された信号からデータを復号化する必要がない。
【００５３】
さらに別の態様によれば、本発明は、プログラム可能なデバイスに直接ロード可能なコンピュータプログラムに関し、このコンピュータプログラムは、プログラム可能なデバイスで実行された場合、本発明による方法の各ステップを実施するための命令又はコードの部分を含む。
【００５４】
コンピュータプログラムに関する特徴及び利点は、本発明による方法及び装置に関連して上述した特徴及び利点と同じであるため、ここで繰り返さない。
【００５５】
本発明の特徴は、例示的な実施形態の以下の説明を読むことでより明確になり、この説明は、添付図面を参照して行われる。
【図面の簡単な説明】
【００５６】
【図１ａ】基地局の省エネルギーモードから通常動作モードへの従来の切り替えの一例を表す図である。
【図１ｂ】基地局の省エネルギーモードから通常動作モードへの従来の切り替えの一例を表す図である。
【図２】本発明による基地局の省エネルギーモードから動作モードへの切り替えの一例を表す図であり、動作モードは、現在は別の基地局によってハンドリングされている少なくとも１つの移動端末が、上記基地局によってハンドリングされることをできるようにするものである。
【図３】本発明が実施される基地局のアーキテクチャを表す図である。
【図４】基地局が省エネルギーモードの基地局に囲まれている場合の本発明の第１の実現モードによる少なくとも１つの移動端末をハンドリングする上記基地局によって実行されるアルゴリズムの一例を開示する図である。
【図５】本発明の第１の実現モードによる省エネルギーモードにある基地局によって実行されるアルゴリズムの一例を開示する図である。
【図６】基地局が省エネルギーモードの基地局に囲まれている場合の本発明の第２の実現モードによる少なくとも１つの移動端末をハンドリングする上記基地局によって実行されるアルゴリズムの一例を開示する図である。
【図７】本発明の第２の実現モードによる省エネルギーモードにある基地局によって実行されるアルゴリズムの一例を開示する図である。
【図８】基地局が省エネルギーモードの複数の基地局に囲まれている場合の本発明の第１の実現モードによる少なくとも１つの移動端末をハンドリングする上記基地局によって実行されるアルゴリズムの一例を開示する図である。
【図９】基地局が省エネルギーモードの複数の基地局に囲まれている場合の本発明の第２の実現モードによる少なくとも１つの移動端末をハンドリングする上記基地局によって実行されるアルゴリズムの一例を開示する図である。
【発明を実施するための形態】
【００５７】
図２は、本発明による基地局の省エネルギーモードから動作モードへの切り替えの一例を表しており、この動作モードは、現在は別の基地局によってハンドリングされている少なくとも１つの移動端末が、上記基地局によってハンドリングされることをできるようにするものである。
【００５８】
各基地局が１つのセルを有する例で本発明がこれから説明されるということに留意しなければならない。本発明は、１つ以上の基地局のそれぞれが複数のセルをハンドリングする場合にも適用が可能である。
【００５９】
図２の例では、基地局ＢＳ１は、移動端末ＭＴ１、ＭＴ２、ＭＴ３及びＭＴ４をハンドリングする。移動端末ＭＴ２は、省エネルギーモードにある基地局ＢＳ２の方向に移動中である。
【００６０】
基地局ＢＳ１は、移動端末ＭＴ１〜ＭＴ４から、基地局ＢＳ１によって転送される信号についての測定結果報告（measurement report）を受信する。
【００６１】
基地局ＢＳ１は、移動端末ＭＴ１〜ＭＴ４が基地局ＢＳ１から受信する信号の電力が、閾値Ｔｈ以下であるか否かをチェックする。
【００６２】
例えば、移動端末ＭＴ２が基地局ＢＳ１から受信する信号の電力が、閾値Ｔｈ以下である。
【００６３】
閾値Ｔｈは、以下においてより詳細に開示される。
【００６４】
基地局ＢＳ１は、基地局ＢＳ１と移動端末ＭＴ２との間の経路利得を表す情報を取得する。
【００６５】
基地局ＢＳ１は、基地局ＢＳ２と移動端末ＭＴ２との間の経路利得を表す情報を取得する。
【００６６】
基地局ＢＳ１は、基地局ＢＳ２及び移動端末ＭＴ２の間の経路利得を表す情報と基地局ＢＳ１及び移動端末ＭＴ２の間の経路利得を表す情報とから、移動端末ＭＴ２が基地局ＢＳ２及び基地局ＢＳ１によってハンドリングされるのを可能にする信号を基地局ＢＳ２が転送する場合の基地局ＢＳ２が転送する信号の送信電力を確定する。
【００６７】
より詳細には、第２の基地局と移動端末との間の経路利得を表す情報は、移動端末ＭＴ２が基地局ＢＳ１から受信する信号の電力の値に従って取得され、確定ステップは、移動端末が第２の基地局から受信する信号の電力が閾値以下である場合に、実行される。
【００６８】
より詳細には、基地局ＢＳ２が動作モードにある場合に基地局ＢＳ２が転送する信号の送信電力は、基地局ＢＳ２及び基地局ＢＳ１が所与のサービス品質で移動端末ＭＴ２をハンドリングできるようにする送信電力である。
【００６９】
本発明の特定の特徴によれば、基地局ＢＳ２の送信電力は、移動端末ＭＴ２側で基地局ＢＳ１から受信する信号のレベルに等しいレベルで、移動端末ＭＴ２側で受信されるように設定される。
【００７０】
移動端末ＭＴ２は、閾値Ｔｈを選択するおかげで基地局ＢＳ１のセルＣＥ１ｃの縁に位置するため、基地局ＢＳ２からの干渉が低減し、基地局ＢＳ１のセルＣＥ１ｃがカバーする領域は、図１ｂの例と比較して低減が少ない。
【００７１】
図２の例によれば、基地局ＢＳ２が通常動作モードに切り替えられた時点では、移動端末ＭＴ１、ＭＴ２及びＭＴ４はまだ、基地局ＢＳ１のセルＣＥ１ｃ内に含まれている。
【００７２】
移動端末ＭＴ２のハンドオーバが、基地局ＢＳ１と基地局ＢＳ２との間で実行可能である。
【００７３】
基地局ＢＳ１〜ＢＳ３は、ノード、アクセスポイント、ホーム基地局、又はピコ基地局と呼ばれる場合もある。
【００７４】
移動端末ＭＴ１〜ＭＴ５は、パーソナルコンピュータ、セットトップボックスのような周辺デバイス、又は電話とすることができる。
【００７５】
図３は、本発明が実施される基地局のアーキテクチャを表す図である。
【００７６】
基地局ＢＳは、例えば、バス３０１によって互いに接続された構成要素と、図４〜図９に開示するようなプログラムによって制御されるプロセッサ３００とに基づく、アーキテクチャを有する。
【００７７】
ここで、基地局ＢＳは、専用集積回路に基づくアーキテクチャを有することができることに留意しなければならない。
【００７８】
バス３０１は、プロセッサ３００を、読み出し専用メモリＲＯＭ３０２、ランダムアクセスメモリＲＡＭ３０３、無線インタフェース３０５、及びネットワークインタフェース３０６にリンクする。
【００７９】
ランダムアクセスメモリ３０３は、変数と、図４〜図９に開示するようなアルゴリズムに関連したプログラムの命令とを収容するように意図されたレジスタを含む。
【００８０】
プロセッサ３００は、ネットワークインタフェース３０６の動作及び無線インタフェース３０５の動作を制御する。
【００８１】
読み出し専用メモリ３０２は、図４〜図９に開示されるようなアルゴリズムに関連したプログラムの命令を含む。これらの命令は、基地局ＢＳに電源が投入されると、ランダムアクセスメモリ３０３に転送される。
【００８２】
基地局ＢＳは、ネットワークインタフェース３０６を通じて電気通信ネットワークに接続することができる。例えば、ネットワークインタフェース３０６は、ＤＳＬ（デジタル加入者線）モデム又はＩＳＤＮ（サービス統合デジタル網）インタフェース等である。
【００８３】
無線インタフェース３０５は、省エネルギーモードに切り替え得る。省エネルギーモードとは、基地局が無線信号を低電力レベル、すなわち公称無線信号送信電力の最高でも６０％の電力で転送するか、又は無線信号の送信を中断するモードである。
【００８４】
図４は、基地局が省エネルギーモードにある基地局に囲まれている場合の本発明の第１の実現モードによる少なくとも１つの移動端末をハンドリングする上記基地局によって実行されるアルゴリズムの一例を開示する。
【００８５】
本アルゴリズムは、無線セルラ通信ネットワークの各基地局によって実行されるものであり、その基地局が移動端末をハンドリングすることが可能になる動作モードにある場合に、実行される。
【００８６】
図４のアルゴリズムは、基地局ＢＳ１によって実行される場合について開示されている。
【００８７】
より詳細には、本アルゴリズムは、基地局ＢＳ１によってハンドリングされる各移動端末に対して並行して、基地局ＢＳ１のプロセッサ３００によって実行される。
【００８８】
ステップＳ４００において、プロセッサ３００は、例えば、基地局ＢＳ１がハンドリングする移動端末ＭＴ２に提供すべき最小の信号対干渉雑音比（最小ＳＩＮＲ；minimum signal interference plus noise ratio）ρを取得する。
【００８９】
最小の信号対干渉雑音比ρは、例えば、基地局ＢＳ１によって移動端末ＭＴ２に提供されるサービス品質に従って取得される。
【００９０】
次のステップＳ４０１において、プロセッサ３００は、移動端末ＭＴ２が基地局ＢＳ１から受信する信号の電力を、例えば、移動端末ＭＴ２によって周期的に転送される測定結果報告を使用して、監視する。
【００９１】
次のステップＳ４０２において、プロセッサ３００は、移動端末ＭＴ２が基地局ＢＳ１から受信する信号の電力が、移動端末ＭＴ２に対して確定されている閾値Ｔｈ以下であるか否かをチェックする。
【００９２】
本発明によれば、移動端末ＭＴ２が基地局ＢＳ１から受信する信号電力Ρ１が、所与の閾値Ｔｈ以下の場合、基地局ＢＳ２は、低減した電力αＰ２ｎ（０≦α≦１）で送信を開始し、この送信はＵＥによって電力αＰ２で受信される。なお、αＰ２は、次のようなものである。
【００９３】
【数１】
0006386493.tif 000002
【００９４】
上記式中、Ｐ１は、基地局ＢＳ１によって転送されて移動端末ＭＴ２によって受信される信号の電力であり、Ｐ２ｎは、いかなる電力低減もしない状態で基地局ＢＳ２によって転送される信号の公称送信電力であり、Ｎ０は移動端末ＭＴ２によって受信されるノイズ成分であり、Ｐ２は、基地局ＢＳ２によって転送されて移動端末ＭＴ２によって受信される信号の電力である。
【００９５】
１つめの式は、ＳＩＮＲが最小ＳＩＮＲのρを上まわる状態で移動端末ＭＴ２がまだ基地局ＢＳ１によってハンドリングされていることを表すが、２つめの式は、基地局ＢＳ２が信号を転送したときに移動端末ＭＴ２を基地局ＢＳ２にハンドオーバできることを意味し、この場合、移動端末ＭＴ２は、最小ＳＩＮＲのρ相当でハンドリングされることになる。
【００９６】
上記の式から、次の式を導出することができる。
【００９７】
【数２】
0006386493.tif 000003
【００９８】
移動端末ＭＴ２は基地局ＢＳ１のセルＣＥ１ｃ内にあるため、Ｐ１は、Ｐ１≧ρＮ０であると確認される。ρ＜１の場合、すなわち、移動端末ＭＴ２がセルＣＥ１ｃの中心条件（centre conditions）にない場合、閾値Ｔｈが存在する。それ故、Ｔｈは次のようになる。
【００９９】
【数３】
0006386493.tif 000004
【０１００】
最小ＳＩＮＲのρは、基地局ＢＳ１及びＢＳ２と移動端末ＭＴ２との間にロバストな通信を提供するために確定される。ロバストな通信は、移動端末ＭＴ２に提供すべきサービス品質に依存し、且つ／又は、基地局ＢＳ１が移動端末ＭＴ２に割り当てることができるリソース量に依存する。
【０１０１】
移動端末ＭＴ２が基地局ＢＳ１から受信する信号の電力が、移動端末ＭＴ２に対して確定されている閾値Ｔｈ以下である場合、プロセッサ３００はステップＳ４０３に進む。閾値Ｔｈ以下でない場合、プロセッサ３００はステップＳ４０１に戻る。
【０１０２】
次のステップＳ４０３において、プロセッサ３００は、省エネルギーモードにある基地局ＢＳ２に対して、移動端末ＭＴ２によって転送されて基地局ＢＳ２によって受信される信号の電力を監視するように要求するメッセージを、基地局ＢＳ２に送信する。
【０１０３】
メッセージは、移動端末ＭＴ２を識別する情報を含む。
【０１０４】
移動端末ＭＴ２を識別する情報は、基地局ＢＳ１によって移動端末ＭＴ２に割り当てられるセル無線ネットワーク一時識別子（Ｃ−ＲＮＴＩ，cell radio network temporary identifier）としても呼ばれるローカルＭＡＣ（媒体アクセス制御）識別子とすることができる。
【０１０５】
少なくとも基地局ＢＳ１のセル識別子とセルのパラメータ特性とから、基地局ＢＳ２は、基地局ＢＳ１によって移動端末ＭＴ２に割り当てられたリソースを見つけるために、基地局ＢＳ１によって送信される信号をリッスンし、次に、移動端末ＭＴ２によって送信される無線信号電力を測定する。
【０１０６】
基地局ＢＳ１のセルのパラメータ特性は、例えば、上りリンク送信の場合に基地局ＢＳ１が使用する周波数帯である。この周波数帯は、基地局ＢＳ２によって構成から知られることが可能であり、又は基地局ＢＳ１がこの周波数帯を基地局ＢＳ２に与えることが可能であり、又は基地局ＢＳ２が、基地局ＢＳ１によってブロードキャストされたデータから、基地局ＢＳ１のセルのパラメータ特性を学習することが可能である。
【０１０７】
ここで、基地局ＢＳ２が基地局ＢＳ１と同期されていない場合、基地局ＢＳ１は、基地局ＢＳ２に対して、移動端末ＭＴ２を識別する情報に加えて、基地局ＢＳ１が移動端末ＭＴ２に割り当てたリソースを含むタイムスロットの数を提供し得ることに留意しなければならない。
【０１０８】
移動端末ＭＴ２を識別する情報は、基地局ＢＳ１が移動端末ＭＴ２に割り当てた専用パイロットシーケンス及び時間／周波数パターンとなり得る。その場合、基地局ＢＳ２は、移動端末ＭＴ２によって転送されるパイロットシーケンス信号の電力を監視する。
【０１０９】
パイロットシーケンスは、基地局ＢＳ１が基地局ＢＳ２及び移動端末ＭＴ２に与えるサウンディング基準信号（ＳＲＳ；Sounding Reference Signal）のような基準信号の構成であることができる。
【０１１０】
移動端末ＭＴ２を識別する情報は、初期上りリンク送信用の、すなわち、移動端末ＭＴ２から基地局ＢＳ１への、コンテンションベースチャネル（contention-based channel）であるランダムアクセスチャネル（ＲＡＣＨ）であることができる。
【０１１１】
基地局ＢＳ１は、移動端末ＭＴ２と競合せずに、いくらかのＲＡＣＨ時間／周波数／コードのリソースを確保し、基地局ＢＳ２に対して確保されたリソースを表す情報を提供し、移動端末ＭＴ２に、確保されたリソースでＲＡＣＨを送信するように要求する。
【０１１２】
メッセージは、移動端末ＭＴ２によって転送される信号の電力ＰＵＥをさらに含むことができる。
【０１１３】
次のステップＳ４０４では、プロセッサ３００は、仮に基地局ＢＳ２がその公称送信電力Ｐ２ｎで送信していれば、移動端末ＭＴ２が基地局ＢＳ２から受信することになる信号の電力Ｐ２の値を受信する。この値Ｐ２は、移動端末ＭＴ２と基地局ＢＳ２との間の経路利得の測定を表す情報を含む。
【０１１４】
次のステップＳ４０５では、プロセッサ３００は、基地局ＢＳ２がその公称送信電力Ｐ２ｎに対して適用すべき次の電力低減係数αを計算する。
【０１１５】
【数４】
0006386493.tif 000005
【０１１６】
公称送信電力Ｐ２ｎは、例えば、電波プランニング技術に従って、又は基地局ＢＳ２の不揮発性メモリに記憶されている値から決定される。
【０１１７】
次のステップＳ４０６において、プロセッサ３００は、基地局ＢＳ２への電力低減係数αの転送を命令する。
【０１１８】
次のステップＳ４０７において、プロセッサ３００は、基地局ＢＳ２が移動端末をハンドリングできる動作モードにあるとして、基地局ＢＳ２を登録する（mark）。
【０１１９】
図５は、本発明の第１の実現モードによる省エネルギーモードにある基地局によって実行されるアルゴリズムの一例を開示している。
【０１２０】
本アルゴリズムは、無線セルラ通信ネットワークの各基地局によって、この基地局が省エネルギーモードにある場合に実行される。
【０１２１】
図５のアルゴリズムは、基地局ＢＳ２によって実行される場合について開示されている。
【０１２２】
ステップＳ５００において、基地局ＢＳ２は、省エネルギーモードにある。すなわち、基地局ＢＳ２は、無線信号を転送しないか、又は基地局ＢＳ２が少なくとも移動端末ＭＴ２をハンドリングできない電力レベルで無線信号を転送する。
【０１２３】
次のステップＳ５０１において、プロセッサ３００は、移動端末ＭＴ２によって転送されて基地局ＢＳ２によって受信される信号の電力を監視するように基地局ＢＳ２に要求するメッセージの受信を検出する。
【０１２４】
メッセージは、図４のアルゴリズムのステップＳ４０３で開示されるように、移動端末ＭＴ２を識別する情報を含む。
【０１２５】
メッセージは、移動端末ＭＴ２によって転送される信号の信号送信電力ＰＵＥをさらに含み得る。
【０１２６】
次のステップＳ５０２において、プロセッサ３００は、仮に基地局ＢＳ２がその公称電力Ｐ２ｎで送信していれば、移動端末ＭＴ２が基地局ＢＳ２から受信することになる信号の電力Ｐ２の値を取得する。
【０１２７】
プロセッサ３００は、移動端末ＭＴ２によって使用される信号送信電力ＰＵＥと移動端末ＭＴ２によって転送されて基地局ＢＳ２によって受信される信号の電力とから、移動端末ＭＴ２及び基地局ＢＳ２の間の経路利得Ｇ２を確定するように命令する。
【０１２８】
プロセッサ３００は、Ｐ２（Ｐ２＝Ｇ２・Ｐ２ｎ）を基地局ＢＳ１に報告する。
【０１２９】
次のステップＳ５０３において、プロセッサ３００は、電力低減係数αの受信を検出する。
【０１３０】
次のステップＳ５０４において、プロセッサは、無線インタフェース３０５に対して、信号を電力αＰ２ｎで転送することによって、基地局ＢＳ２が少なくとも移動端末ＭＴ２をハンドリングできる動作モードに切り替えるように命令する。
【０１３１】
第１の実現モードの第１の変形実現例によれば、ステップＳ４０３で転送されてステップＳ５０１で受信されるメッセージは、移動端末ＭＴ２によって転送される信号の信号送信電力ＰＵＥを含まない。
【０１３２】
基地局ＢＳ２は、移動端末ＭＴ２によって転送されて基地局ＢＳ２によって受信される信号の電力Ｐ２ＵＥと、基地局ＢＳ２によっていかなる電力低減もなく転送される信号の公称送信電力Ｐ２ｎとを転送する。
【０１３３】
基地局ＢＳ１は、移動端末ＭＴ２によって使用される信号送信電力ＰＵＥと移動端末ＭＴ２によって転送されて基地局ＢＳ２によって受信される信号の電力Ｐ２ＵＥとから、移動端末ＭＴ２及び基地局ＢＳ２の間の経路利得Ｇ２を確定する。基地局ＢＳ１はまた、Ｐ２及びαも確定する。
【０１３４】
第１の実現モードの第２の変形例によれば、基地局ＢＳ１は、移動端末ＭＴ２によって転送される信号の電力ＰＵＥを認知していない。その場合、基地局ＢＳ１によって転送されるメッセージは、移動端末ＭＴ２によって転送される信号の電力ＰＵＥを含まない。
【０１３５】
基地局ＢＳ１は、Ｇ２の計算に代えて、経路利得の比Ｇ２／Ｇ１を使用することができる。
【０１３６】
実際には、次の式のようになる。
【０１３７】
【数５】
0006386493.tif 000006
【０１３８】
上記の式中、Ｐ１ＵＥは、移動端末ＭＴ２によって転送されて基地局ＢＳ１によって受信される信号の電力であり、Ｐ２ＵＥは、移動端末ＭＴ２によって転送されて基地局ＢＳ２によって受信される信号の電力である。
【０１３９】
したがって、パラメータαは、次のように計算することができる。
【０１４０】
【数６】
0006386493.tif 000007
【０１４１】
第１の実現モードの第３の実現変形例によれば、ステップＳ４０３で転送されてステップＳ５０１で受信されるメッセージは、基地局ＢＳ１によって転送される信号における移動端末ＭＴ２での信号電力Ｐ１をさらに含む。
【０１４２】
基地局ＢＳ２は、移動端末ＭＴ２によって使用される信号送信電力ＰＵＥと移動端末ＭＴ２によって転送されて基地局ＢＳ２によって受信される信号の電力とから、移動端末ＭＴ２及び基地局ＢＳ２の間の経路利得Ｇ２を確定し、そしてＰ２及びαを確定する。
【０１４３】
第３の変形例によれば、基地局ＢＳ２は、ステップＳ５０２において、値Ｐ２を基地局ＢＳ１に送信せず、ステップＳ５０３、Ｓ４０５及びＳ４０６はスキップされる。
【０１４４】
第１の実現モードの第４の実現変形例によれば、基地局ＢＳ１は、移動端末ＭＴ２によって転送される信号の電力ＰＵＥを認知していない。その場合、基地局ＢＳ１によって転送されるメッセージは、移動端末ＭＴ２によって転送される信号の電力ＰＵＥを含まない。
【０１４５】
基地局ＢＳ１は、送信電力Ｐ１ｎ及びＵＥから受信する信号電力Ｐ１ＵＥを、基地局ＢＳ２に転送する。
【０１４６】
基地局ＢＳ２は、移動端末ＭＴ２によって転送されて基地局ＢＳ２によって受信される信号の電力Ｐ２ＵＥを測定する。
【０１４７】
基地局ＢＳ２は、第１の実現モードの第２の変形例でのように、パラメータαを計算する。
【０１４８】
図６は、基地局が省エネルギーモードにある基地局に囲まれている場合の本発明の第２の実現モードによる少なくとも１つの移動端末をハンドリングする上記基地局によって実行されるアルゴリズムの一例を開示している。
【０１４９】
本アルゴリズムは、無線セルラ通信ネットワークの各基地局によって、この基地局が少なくとも１つの移動端末をハンドリングできる動作モードにある場合に実行される。
【０１５０】
図６のアルゴリズムは、基地局ＢＳ１によって実行される場合について開示されている。
【０１５１】
より正確には、本アルゴリズムは、基地局ＢＳ１によってハンドリングされる各移動端末に対して並行して、基地局ＢＳ１のプロセッサ３００によって実行される。
【０１５２】
ステップＳ６００において、プロセッサ３００は、例えば、基地局ＢＳ１がハンドリングする移動端末ＭＴ２に提供すべき最小の信号対干渉雑音比ρを取得する。
【０１５３】
最小の信号対干渉雑音比ρは、図４のステップＳ４００において開示されるように取得される。
【０１５４】
次のステップＳ６０１において、プロセッサ３００は、例えば、移動端末ＭＴ２によって周期的に転送される測定結果報告を使用して、移動端末ＭＴ２が基地局ＢＳ１から受信する信号の電力を監視する。
【０１５５】
次のステップＳ６０２において、プロセッサ３００は、移動端末ＭＴ２が基地局ＢＳ１から受信する信号の電力が、移動端末ＭＴ２に対して確定されている閾値Ｔｈ以下であるか否かをチェックする。
【０１５６】
閾値Ｔｈは、図４のステップＳ４０２において開示されるように確定されている。
【０１５７】
移動端末ＭＴ２が基地局ＢＳ１から受信する信号の電力が、移動端末ＭＴ２に対して確定されている閾値Ｔｈ以下である場合、プロセッサ３００は、本発明の第２の実現モードの変形例によるステップＳ６０３に進むか又はステップＳ６０４に進む。閾値Ｔｈ以下でない場合、プロセッサ３００はステップＳ６０１に戻る。
【０１５８】
本発明の第２の実現モードの変形例では、基地局ＢＳ２は、省エネルギーモードにある場合に、基地局ＢＳ２が少なくとも移動端末ＭＴ２をハンドリングできない送信電力Ｐ２ｍｉｎで信号を送信する。この送信電力は、ネットワークトポロジに依存し、例えば、ネットワークプランニングによって決定され、そして例えば、基地局ＢＳ２に構成データと共に供給される。
【０１５９】
次のステップＳ６０３において、プロセッサ３００は、省エネルギーモードにあり且ついかなる無線信号も送信していない基地局ＢＳ２に基地局ＢＳ２が移動端末ＭＴ２をハンドリングできない送信電力Ｐ２ｍｉｎで信号を転送することを要求するメッセージを、基地局ＢＳ２に送信する。
【０１６０】
次のステップＳ６０４において、プロセッサ３００は、例えば、移動端末ＭＴ２によって周期的に転送される測定結果報告を使用して、移動端末ＭＴ２が基地局ＢＳ２から受信する信号の電力Ｐ２を監視する。
【０１６１】
次のステップＳ６０５において、プロセッサ３００は、その最小送信電力Ｐ２ｍｉｎに対して基地局ＢＳ２が適用すべき次のような電力増加係数βを計算する。
【０１６２】
【数７】
0006386493.tif 000008
【０１６３】
次のステップＳ６０６において、プロセッサ３００は、基地局ＢＳ２への電力増加係数βの転送を命令する。
【０１６４】
次のステップＳ６０７において、プロセッサ３００は、基地局ＢＳ２が移動端末をハンドリングできる動作モードにあるとして、基地局ＢＳ２を登録する。
【０１６５】
図７は、本発明の第２の実現モードによる省エネルギーモードにある基地局によって実行されるアルゴリズムの一例を開示している。
【０１６６】
本アルゴリズムは、無線セルラ通信ネットワークの各基地局によって、この基地局が省エネルギーモードにある場合に実行される。
【０１６７】
図７のアルゴリズムは、基地局ＢＳ２によって実行される場合について開示されている。
【０１６８】
ステップＳ７００において、基地局ＢＳ２は省エネルギーモードにある。すなわち、基地局ＢＳ２はいかなる無線信号も転送しない。
【０１６９】
次のステップＳ７０１において、プロセッサ３００は、省エネルギーモードにあり且ついかなる無線信号も転送していない基地局ＢＳ２に対して、基地局ＢＳ２が移動端末ＭＴ２をハンドリングできない送信電力Ｐ２ｍｉｎで信号を転送するように要求するメッセージの受信を検出する。
【０１７０】
その後、プロセッサ３００はステップＳ７０２に進む。
【０１７１】
本発明の第２の実現モードの変形例では、基地局ＢＳ２は、省エネルギーモードにある場合、基地局ＢＳ２が少なくとも移動端末ＭＴ２をハンドリングできない送信電力Ｐ２ｍｉｎで信号を転送する。その変形例によれば、ステップＳ７０１及びＳ７０２を実行する必要がなく、プロセッサ３００はステップＳ７００からステップＳ７０３に進む。
【０１７２】
ステップＳ７０２では、プロセッサ３００は、基地局ＢＳ２が移動端末ＭＴ２をハンドリングできない送信電力Ｐ２ｍｉｎで信号を転送するように無線インタフェース３０５に命令する。
【０１７３】
次のステップＳ７０３において、プロセッサ３００は、電力増加係数βの受信を検出する。
【０１７４】
次のステップＳ７０４において、プロセッサは、信号を電力βＰ２ｍｉｎで転送することによって、基地局ＢＳ２が移動端末ＭＴ２をハンドリングできる動作モードに切り替えるように、無線インタフェース３０５に命令する。
【０１７５】
図８は、基地局が省エネルギーモードにある複数の基地局に囲まれている場合の本発明の第１の実現モードによる少なくとも１つの移動端末をハンドリングする上記基地局によって実行されるアルゴリズムの一例を開示している。
【０１７６】
本アルゴリズムは、無線セルラ通信ネットワークの各基地局によって、この基地局が移動端末をハンドリングできる動作モードにある場合に実行される。
【０１７７】
図８のアルゴリズムは、基地局ＢＳ１によって実行される場合について開示されている。
【０１７８】
より正確には、本アルゴリズムは、基地局ＢＳ１によってハンドリングされる各移動端末に対して並行して、基地局ＢＳ１のプロセッサ３００によって実行される。
【０１７９】
ステップＳ８００において、プロセッサ３００は、例えば、基地局ＢＳ１がハンドリングする移動端末ＭＴ２に提供すべき最小の信号対干渉雑音比ρを取得する。
【０１８０】
最小の信号対干渉雑音比ρは、図４のステップＳ４００において開示されるように取得される。
【０１８１】
次のステップＳ８０１において、プロセッサ３００は、例えば、移動端末ＭＴ２によって周期的に転送される測定結果報告を使用して、移動端末ＭＴ２が基地局ＢＳ１から受信する信号の電力を監視する。
【０１８２】
次のステップＳ８０２において、プロセッサ３００は、図４のステップＳ４０２で開示されるように、移動端末ＭＴ２が基地局ＢＳ１から受信する信号の電力が、移動端末ＭＴ２に対して確定されている閾値Ｔｈ以下であるか否かをチェックする。
【０１８３】
移動端末ＭＴ２が基地局ＢＳ１から受信する信号の電力が、移動端末ＭＴ２に対して確定されている閾値Ｔｈ以下である場合、プロセッサ３００は、ステップＳ８０３に進む。閾値Ｔｈ以下でない場合、プロセッサ３００はステップＳ８０１に戻る。
【０１８４】
次のステップＳ８０３において、プロセッサ３００は、省エネルギーモードにある隣接する基地局それぞれに対して移動端末ＭＴ２によって転送されて省エネルギーモードにある隣接する各基地局によって受信される信号の電力を監視することを要求するメッセージを、上記省エネルギーモードにある隣接する各基地局に送信する。
【０１８５】
このメッセージは、図４のアルゴリズムのステップＳ４０３で開示されるように、移動端末ＭＴ２を識別する情報を含む。
【０１８６】
メッセージは、移動端末によって転送される信号の電力ＰＵＥをさらに含む。
【０１８７】
次のステップＳ８０４において、プロセッサ３００は、省エネルギーモードにある隣接する各基地局から、仮に省エネルギーモードにある上記基地局がその公称電力Ｐ２ｎで送信していれば、移動端末ＭＴ２がその省エネルギーモードにある基地局から受信することになる信号の電力の値Ｐ２を受信する。
【０１８８】
次のステップＳ８０５において、プロセッサ３００は、省エネルギーモードにある隣接した基地局の中から、最も大きい受信電力Ｐ２を提供する基地局を選択する。
【０１８９】
次のステップＳ８０６において、プロセッサ３００は、選択された基地局がその公称送信電力Ｐ２ｎに対して適用すべき次の電力低減係数αを計算する。
【０１９０】
【数８】
0006386493.tif 000009
【０１９１】
次のステップＳ８０７において、プロセッサ３００は、選択された基地局への電力低減係数αの転送を命令する。
【０１９２】
次のステップＳ８０８において、プロセッサ３００は、選択された基地局が移動端末をハンドリングできる動作モードにあるとして、選択された基地局を登録する。
【０１９３】
図９は、基地局が省エネルギーモードにある複数の基地局に囲まれている場合の本発明の第２の実現モードによる少なくとも１つの移動端末をハンドリングする上記基地局によって実行されるアルゴリズムの例を開示している。
【０１９４】
本アルゴリズムは、無線セルラ通信ネットワークの各基地局によって、この基地局が移動端末をハンドリングできる動作モードにある場合に実行される。
【０１９５】
図９のアルゴリズムは、基地局ＢＳ１によって実行される場合について開示されている。
【０１９６】
より正確には、本アルゴリズムは、基地局ＢＳ１によってハンドリングされる各移動端末ＭＴに対して並行して、基地局ＢＳ１のプロセッサ３００によって実行される。
【０１９７】
ステップＳ９００において、プロセッサ３００は、例えば、基地局ＢＳ１がハンドリングする移動端末ＭＴ２に提供すべき最小の信号対干渉雑音比ρを取得する。
【０１９８】
最小の信号対干渉雑音比ρは、図４のステップＳ４００で開示されるように取得される。
【０１９９】
次のステップＳ９０１において、プロセッサ３００は、例えば、移動端末ＭＴ２によって周期的に転送される測定結果報告を使用して、移動端末ＭＴ２が基地局ＢＳ１から受信する信号の電力を監視する。
【０２００】
次のステップＳ９０２において、プロセッサ３００は、移動端末ＭＴ２が基地局ＢＳ１から受信する信号の電力が、移動端末ＭＴ２に対して確定されている閾値Ｔｈ以下であるか否かをチェックする。
【０２０１】
閾値Ｔｈは、図４のステップＳ４０２で開示されるように確定されている。
【０２０２】
移動端末ＭＴ２が基地局ＢＳ１から受信する信号の電力が、移動端末ＭＴ２に対して決定されている閾値Ｔｈ以下である場合、プロセッサ３００は、本発明の第２の実現モードの変形例によるステップＳ９０３に進むか又はステップＳ９０４に進む。閾値Ｔｈ以下でない場合、プロセッサ３００はステップＳ９０１に戻る。
【０２０３】
本発明の第２の実現モードの変形例では、（複数の）基地局ＢＳは、省エネルギーモードにある場合、上記基地局が少なくとも移動端末ＭＴ２をハンドリングできない送信電力Ｐ２ｍｉｎで信号を送信する。
【０２０４】
次のステップＳ９０３において、プロセッサ３００は、省エネルギーモードにあり且ついかなる無線信号も送信していない近傍の基地局それぞれに対してこの基地局が移動端末ＭＴ２をハンドリングできない送信電力Ｐ２ｍｉｎで信号を転送することを要求するメッセージを、各基地局に送信する。
【０２０５】
次のステップＳ９０４において、プロセッサ３００は、例えば、移動端末ＭＴ２によって周期的に転送される測定結果報告を使用して、移動端末ＭＴ２が省エネルギーモードにある隣接した各基地局から受信する信号の電力Ｐ２を監視する。
【０２０６】
次のステップＳ９０５において、プロセッサ３００は、省エネルギーモードにある隣接した基地局の中から、移動端末ＭＴ２で最も大きい受信電力Ｐ２を提供する基地局を選択する。
【０２０７】
次のステップＳ９０６において、プロセッサ３００は、選択された基地局がその最小送信電力Ｐ２ｍｉｎに対して適用すべき次の電力増加係数βを計算する。
【０２０８】
【数９】
0006386493.tif 000010
【０２０９】
次のステップＳ９０７において、プロセッサ３００は、選択された基地局への電力増加係数βの転送を命令する。
【０２１０】
次のステップＳ９０８において、プロセッサ３００は、基地局ＢＳ２が移動端末をハンドリングできる動作モードにあるとして、選択された基地局を登録する。
【０２１１】
ここで、本発明の第１及び第２の実現モードの変形例によれば、移動端末が基地局ＢＳ１から受信する信号の電力が閾値Ｔｈ以下の場合、移動端末に提供されるべきサービス品質が向上し、且つ／又は、よりロバストな変調及びコード体系が移動端末に割りあてられるということに留意しなければならない。そのようなサービス品質での並びに／又は変調及びコード体系のロバスト性での向上は、ステップＳ４００、Ｓ６００、Ｓ８００及びＳ９００において確定される最小ＳＩＮＲのρを計算する際に考慮される。
【０２１２】
よって、閾値Ｔｈは増大し、基地局ＢＳ２が移動端末ＭＴ２をハンドリングできる動作モードに、省エネルギーモードにある隣接した基地局が切り替えられなければならない時間を遅らせることができる。このサービス品質での並びに／又は変調及びコード体系のロバスト性での向上は、省エネルギーモードでなくなる基地局に移動端末をハンドオーバするための時間のみ、基地局の負荷に影響を与える。
【０２１３】
ここで、ステップＳ４０６及び／又はＳ６０６、Ｓ８０７及び／又はＳ９０７において、プロセッサ３００は、基地局ＢＳ２が移動端末ＭＴ２をハンドリングできる動作モードに基地局ＢＳ２が切り替えられなければならない場合、移動端末ＭＴ２及び基地局ＢＳ１の間の通信リンクを保証するために、変調及びコード体系のロバスト性の向上並びに／又は移動端末ＭＴ２に割り当てられるリソース量の増大を命令してもよいことに留意しなければならない。
【０２１４】
当然ながら、本発明の範囲から逸脱せずに、上述の本発明の実施形態に対して多くの変更を行うことができる。
【図１ａ】
0006386493.tif 000011
【図１ｂ】
0006386493.tif 000012
【図２】
0006386493.tif 000013
【図３】
0006386493.tif 000014
【図４】
0006386493.tif 000015
【図５】
0006386493.tif 000016
【図６】
0006386493.tif 000017
【図７】
0006386493.tif 000018
【図８】
0006386493.tif 000019
【図９】
0006386493.tif 000020